(57)【要約】【課題】  帯域を制限しつつ、良好な受信特性を達成する。【解決手段】  レーザダイオード２０（２０１〜２０２ｎ）は、互いに異なる波長λ１〜λ２ｎのレーザ光を出力する。各ＤＰＳＫ変調器２２（２２１〜２２２ｎ）は、対応するレーザダイオード２０（２０１〜２０２ｎ）の出力レーザ光をデータＤ１〜Ｄ２ｎでＤＰＳＫ変調する。合波器２４は奇数番目のＤＰＳＫ変調器２２１〜２２２ｎ−１を合波し、合波器２６は偶数番目のＤＰＳＫ変調器２２２〜２２２ｎを合波する。波長インタリーバ２８は、合波器２４，２６の出力光に含まれる各信号光の帯域を制限しつつ、それらの合波光を光ファイバ伝送路１２に出力する。波長インタリーバ２８の各波長に対する透過特性の中心周波数は、各信号光の光キャリア周波数からΔｆだけ離調される。透過特性の帯域幅をＦ，各波長のビットレートＢとすると、Ｆ＞２Δｆ且つＦ＞Ｂ／２である。【選択図】  図１
2005094287.tif 000002
【特許請求の範囲】
【請求項１】
データレートＢのＤＰＳＫ信号光を発生する信号光発生ステップと、
所定の透過率特性により当該ＤＰＳＫ信号光の帯域を制限する帯域制限ステップと、
帯域を制限され光伝送路を伝搬した当該ＤＰＳＫ信号光を２系統の強度変調信号光に変換する変換ステップと、
当該２系統の強度変調信号をバランス受信する受信ステップ
とを具備する光伝送方法であって、
当該帯域制限ステップの当該所定の透過率特性の中心周波数が、当該ＤＰＳＫ信号光の光キャリア周波数から非ゼロの所定量Δｆだけ離調され、当該透過率特性の帯域幅ＦがＦ＞２Δｆ及び２Ｂ≧Ｆ＞Ｂ／２を満たすことを特徴とする光伝送方法。
【請求項２】
当該変換ステップが、１ビット遅延マッハツェンダ干渉計により当該ＤＰＳＫ信号光を２系統の強度変調信号光に変換する請求項１に記載の光伝送方法。
【請求項３】
０＜Δｆ／Ｂ＜０．４である請求項１又は２に記載の光伝送方法。
【請求項４】
０．０９＜Δｆ／Ｂ＜０．３６である請求項１又は２に記載の光伝送方法。
【請求項５】
０．１５＜Δｆ／Ｂ＜０．３２である請求項１又は２に記載の光伝送方法。
【請求項６】
Δｆ／Ｂが実質的に０．２５である請求項１又は２に記載の光伝送方法。
【請求項７】
更に、
複数の互いに異なる波長について、データレートＢのＤＰＳＫ信号光を発生し、且つ、各波長の当該ＤＰＳＫ信号光の帯域を制限し、
帯域を制限された各ＤＰＳＫ信号光からなる波長分割多重信号光を当該光伝送路に出力する
各ステップを具備する請求項１に記載の光伝送方法。
【請求項８】
光伝送路（１２）と、
データレートＢのＤＰＳＫ信号光を発生する信号光発生装置（２０，２２）、及び、所定の透過率特性により当該ＤＰＳＫ信号光の帯域を制限する帯域制限装置（２８）を具備する光送信装置（１０）と、
帯域を制限され光伝送路（１２）を伝搬した当該ＤＰＳＫ信号光を２系統の強度変調信号光に変換する変換装置（３２）、及び、当該２系統の強度変調信号をバランス受信するバランス受信装置（３４）を具備する光受信装置（１４）
とからなる光伝送システムであって、
当該帯域制限装置（２８）の当該所定の透過率特性の中心周波数が、当該ＤＰＳＫ信号光の光キャリア周波数から非ゼロの所定量Δｆだけ離調され、当該透過率特性の帯域幅ＦがＦ＞２Δｆ、及び２Ｂ≧Ｆ＞Ｂ／２を満たす
ことを特徴とする光伝送システム。
【請求項９】
当該変換装置（３２）が、１ビット遅延マッハツェンダ干渉計からなる請求項８に記載の光伝送システム。
【請求項１０】
０＜Δｆ／Ｂ＜０．４である請求項８又は９に記載の光伝送システム。
【請求項１１】
０．０９＜Δｆ／Ｂ＜０．３６である請求項８又は９に記載の光伝送システム。
【請求項１２】
０．１５＜Δｆ／Ｂ＜０．３２である請求項８又は９に記載の光伝送システム。
【請求項１３】
Δｆ／Ｂが実質的に０．２５である請求項８又は９に記載の光伝送システム。
【請求項１４】
当該光送信装置（１０）が、
データレートＢの互いに異なる波長のＤＰＳＫ信号光を発生する複数の信号光発生装置（２０，２２）と、
各波長の当該ＤＰＳＫ信号光を、波長に応じた所定の透過率特性で帯域を制限しつつ多重する波長多重装置（２４，２６，２８）
とを具備する請求項８に記載の光伝送システム。
【請求項１５】
データレートＢのＤＰＳＫ信号光を発生する信号光発生ステップと、
所定の透過率特性により当該ＤＰＳＫ信号光の帯域を制限する帯域制限ステップと、
帯域を制限され光伝送路を伝搬した当該ＤＰＳＫ信号光を２系統の強度変調信号光に変換する変換ステップと、
当該２系統の強度変調信号をバランス受信する受信ステップ
とを具備する光伝送方法であって、
当該２系統の強度変調信号光のスペクトルが実質的に左右対称になるように、当該帯域制限ステップの当該所定の透過率特性の中心周波数が当該ＤＰＳＫ信号光の光キャリア周波数から離調され、当該透過率特性の帯域幅が設定されていることを特徴とする光伝送方法。
【請求項１６】
光伝送路（１２）と、
データレートＢのＤＰＳＫ信号光を発生する信号光発生装置（２０，２２）、及び、所定の透過率特性により当該ＤＰＳＫ信号光の帯域を制限する帯域制限装置（２８）を具備する光送信装置（１０）と、
帯域を制限され光伝送路（１２）を伝搬した当該ＤＰＳＫ信号光を２系統の強度変調信号光に変換する変換装置（３２）、及び、当該２系統の強度変調信号をバランス受信するバランス受信装置（３４）を具備する光受信装置（１４）
とからなる光伝送システムであって、
当該２系統の強度変調信号光のスペクトルが実質的に左右対称になるように、当該帯域制限ステップの当該所定の透過率特性の中心周波数が当該ＤＰＳＫ信号光の光キャリア周波数から離調され、当該透過率特性の帯域幅が設定されていることを特徴とする光伝送システム。
【請求項１７】
データレートＢのＤＰＳＫ信号光を発生する信号光発生ステップと、
所定の透過率特性により当該ＤＰＳＫ信号光の帯域を制限する帯域制限ステップ
とを具備し、
当該所定の透過率特性の中心周波数が、当該ＤＰＳＫ信号光の光キャリア周波数から非ゼロの所定量Δｆだけ離調され、当該透過率特性の帯域幅ＦがＦ＞２Δｆ及び２Ｂ≧Ｆ＞Ｂ／２を満たすことを特徴とする光送信方法。
【請求項１８】
０＜Δｆ／Ｂ＜０．４である請求項１７に記載の光送信方法。
【請求項１９】
０．０９＜Δｆ／Ｂ＜０．３６である請求項１７に記載の光送信方法。
【請求項２０】
０．１５＜Δｆ／Ｂ＜０．３２である請求項１７に記載の光送信方法。
【請求項２１】
Δｆ／Ｂが実質的に０．２５である請求項１７に記載の光送信方法。
【請求項２２】
更に、
複数の互いに異なる波長について、データレートＢのＤＰＳＫ信号光を発生し、且つ、各波長の当該ＤＰＳＫ信号光の帯域を制限するステップと、
帯域を制限された各ＤＰＳＫ信号光からなる波長分割多重信号光を光伝送路に出力するステップ
とを具備する請求項１７に記載の光送信方法。
【請求項２３】
データレートＢのＤＰＳＫ信号光を発生する信号光発生装置（２０，２２）と、
所定の透過率特性により当該ＤＰＳＫ信号光の帯域を制限する帯域制限装置（２８）
とを具備する光送信装置であって、
当該所定の透過率特性の中心周波数が、当該ＤＰＳＫ信号光の光キャリア周波数から非ゼロの所定量Δｆだけ離調され、当該透過率特性の帯域幅ＦがＦ＞２Δｆ及び２Ｂ≧Ｆ＞Ｂ／２を満たすことを特徴とする光送信装置。
【請求項２４】
０＜Δｆ／Ｂ＜０．４である請求項２３に記載の光送信装置。
【請求項２５】
０．０９＜Δｆ／Ｂ＜０．３６である請求項２３に記載の光送信装置。
【請求項２６】
０．１５＜Δｆ／Ｂ＜０．３２である請求項２３に記載の光送信装置。
【請求項２７】
Δｆ／Ｂが実質的に０．２５である請求項８又は９に記載の光送信装置。
【請求項２８】
更に、
データレートＢの互いに異なる波長のＤＰＳＫ信号光を発生する複数の信号光発生装置（２０，２２）と、
各波長の当該ＤＰＳＫ信号光を、波長に応じた所定の透過率特性で帯域を制限しつつ多重する波長多重装置（２４，２６，２８）
とを具備する請求項２３に記載の光送信装置。
【発明の詳細な説明】
【技術分野】
【０００１】
本発明は、光伝送方法及びシステム並びに光送信方法及び装置に関し、より具体的には、高密度波長分割多重（ＤＷＤＭ）光伝送に適用可能な光伝送方法及びシステム並びに光送信方法及び装置に関する。
【背景技術】
【０００２】
従来、光通信の伝送容量を拡大する手段として、多数の波長を用いて光信号を伝送する波長分割多重（ＷＤＭ）光伝送方式が用いられている。
【０００３】
光伝送では、従来、強度変調信号（ＯＯＫ：Ｏｎ−Ｏｆｆ  Ｋｅｙｉｎｇ）が採用されている。近年、ＷＤＭ伝送方式の特性を改善する変調方式として、位相変調信号（ＰＳＫ：Ｐｈａｓｅ  Ｓｈｉｆｔ  Ｋｅｙｉｎｇ）の一種である差動位相変調信号（ＤＰＳＫ：Ｄｉｆｆｅｒｅｎｔｉａｌ  Ｐｈａｓｅ  Ｓｈｉｆｔ  Ｋｅｙｉｎｇ）が注目されている。
【０００４】
ＤＰＳＫ信号は、非特許文献１にも記載されるように、複数の信号（デュオバイナリ信号）の合成と考えられる。通常、ＤＰＳＫ信号の受信機は、遅延干渉系を用いてＤＰＳＫ信号を２つの強度変調信号光に分離し、分離した２系統の強度変調信号光をバランス受信する。これにより、ＯＯＫ信号伝送に比べ、高い受信感度が得られる（非特許文献２を参照）
【０００５】
ＷＤＭ光伝送で伝送帯域を有効に利用するには、高密度に波長を多重する必要がある。しかし、チャネル間の周波数間隔を狭めていくと、チャネル間の干渉の影響が大きくなり、信号品質が劣化する。ＤＰＳＫ信号を高密度に波長多重するために、キャリア周波数を中心に対称に帯域を制限する方法が、非特許文献３に記載されている。
【非特許文献１】Y. Miyamoto et.al.,"Bandwidth-efficient RZ format for DWDM transmission using orthogonal duobinary mode splitting", OAA2003,MA1
【非特許文献２】A.H. Gnauck,"40Gb/s RZ-Differential Phase Shift Transmission", OFC2003 ThE1
【非特許文献３】A. H. Gnauck et.al.,"25x40-Gb/s Copolarized DPSK Transmission Over 12x100-km NZDF With 50-GHz Channel Spacing", IEEE Photonics Technology Letters,Vol. No.3, March 2003
【発明の開示】
【発明が解決しようとする課題】
【０００６】
ＤＰＳＫ信号の帯域を過度に制限すると、著しい波形劣化が生じ、その結果、ＤＰＳＫ信号の優れた特長を保持することができず、良好な受信性能を期待できない。
【０００７】
本発明は、良好な受信特性を維持しつつ、従来よりも帯域を制限できる光伝送方法及びシステム並びに光送信方法及び装置を提示することを目的とする。
【課題を解決するための手段】
【０００８】
本発明に係る光伝送方法は、データレートＢのＤＰＳＫ信号光を発生する信号光発生ステップと、所定の透過率特性により当該ＤＰＳＫ信号光の帯域を制限する帯域制限ステップと、帯域を制限され光伝送路を伝搬した当該ＤＰＳＫ信号光を２系統の強度変調信号光に変換する変換ステップと、当該２系統の強度変調信号をバランス受信する受信ステップとを具備する光伝送方法であって、当該帯域制限ステップの当該所定の透過率特性の中心周波数が、当該ＤＰＳＫ信号光の光キャリア周波数から非ゼロの所定量Δｆだけ離調され、当該透過率特性の帯域幅ＦがＦ＞２Δｆ及び２Ｂ≧Ｆ＞Ｂ／２を満たすことを特徴とする。
【０００９】
本発明に係る光伝送システムは、光伝送路と、データレートＢのＤＰＳＫ信号光を発生する信号光発生装置、及び、所定の透過率特性により当該ＤＰＳＫ信号光の帯域を制限する帯域制限装置を具備する光送信装置と、帯域を制限され光伝送路を伝搬した当該ＤＰＳＫ信号光を２系統の強度変調信号光に変換する変換装置、及び、当該２系統の強度変調信号をバランス受信するバランス受信装置を具備する光受信装置とからなる光伝送システムであって、当該帯域制限装置の当該所定の透過率特性の中心周波数が、当該ＤＰＳＫ信号光の光キャリア周波数から非ゼロの所定量Δｆだけ離調され、当該透過率特性の帯域幅ＦがＦ＞２Δｆ、及び２Ｂ≧Ｆ＞Ｂ／２を満たすことを特徴とする。
【００１０】
本発明に係る光伝送方法は、データレートＢのＤＰＳＫ信号光を発生する信号光発生ステップと、所定の透過率特性により当該ＤＰＳＫ信号光の帯域を制限する帯域制限ステップと、帯域を制限され光伝送路を伝搬した当該ＤＰＳＫ信号光を２系統の強度変調信号光に変換する変換ステップと、当該２系統の強度変調信号をバランス受信する受信ステップとを具備する光伝送方法であって、当該２系統の強度変調信号光のスペクトルが実質的に左右対称になるように、当該帯域制限ステップの当該所定の透過率特性の中心周波数が当該ＤＰＳＫ信号光の光キャリア周波数から離調され、当該透過率特性の帯域幅が設定されていることを特徴とする。
【００１１】
本発明に係る光伝送システムは、光伝送路と、データレートＢのＤＰＳＫ信号光を発生する信号光発生装置、及び、所定の透過率特性により当該ＤＰＳＫ信号光の帯域を制限する帯域制限装置を具備する光送信装置と、帯域を制限され光伝送路を伝搬した当該ＤＰＳＫ信号光を２系統の強度変調信号光に変換する変換装置、及び、当該２系統の強度変調信号をバランス受信するバランス受信装置を具備する光受信装置とからなる光伝送システムであって、当該２系統の強度変調信号光のスペクトルが実質的に左右対称になるように、当該帯域制限ステップの当該所定の透過率特性の中心周波数が当該ＤＰＳＫ信号光の光キャリア周波数から離調され、当該透過率特性の帯域幅が設定されていることを特徴とする。
【００１２】
本発明に係る光送信方法は、データレートＢのＤＰＳＫ信号光を発生する信号光発生ステップと、所定の透過率特性により当該ＤＰＳＫ信号光の帯域を制限する帯域制限ステップとを具備し、当該所定の透過率特性の中心周波数が、当該ＤＰＳＫ信号光の光キャリア周波数から非ゼロの所定量Δｆだけ離調され、当該透過率特性の帯域幅ＦがＦ＞２Δｆ及び２Ｂ≧Ｆ＞Ｂ／２を満たすことを特徴とする。
【００１３】
本発明に係る光送信装置は、データレートＢのＤＰＳＫ信号光を発生する信号光発生装置と、所定の透過率特性により当該ＤＰＳＫ信号光の帯域を制限する帯域制限装置とを具備する光送信装置であって、当該所定の透過率特性の中心周波数が、当該ＤＰＳＫ信号光の光キャリア周波数から非ゼロの所定量Δｆだけ離調され、当該透過率特性の帯域幅ＦがＦ＞２Δｆ及び２Ｂ≧Ｆ＞Ｂ／２を満たすことを特徴とする。
【発明の効果】
【００１４】
本発明により、従来よりも帯域を制限しつつ、良好な受信特性を得ることができる。この結果、帯域利用効率が著しく増大し、ＷＤＭ伝送の波長間隔を狭くすることが可能になる。
【００１５】
理想的には、送信側でのＤＰＳＫ信号光の帯域制限を、受信側の遅延干渉系で分離される２系統の強度変調信号光のスペクトルが左右対称な形状になるように、設定する。これにより、２系統の強度変調信号光の波形劣化がバランスし、バランス受信による特性改善を維持できる。
【発明を実施するための最良の形態】
【００１６】
以下、図面を参照して、本発明の実施例を詳細に説明する。
【００１７】
図１は、本発明の一実施例の概略構成ブロック図を示す。光送信装置１０は、それぞれＤＰＳＫ変調された異なる波長λ１〜λ２ｎの信号光からなるＷＤＭ信号光を光ファイバ伝送路１２に出力する。光受信装置１４は、光ファイバ伝送路１２からのＷＤＭ信号光を個個々の波長λ１〜λ２ｎの信号光に分離し、バランス受信により各波長λ１〜λ２ｎの信号光で搬送されるデータＤ１〜Ｄ２ｎを復元する。
【００１８】
光送信装置１０の構成と動作を詳細に説明する。レーザダイオード２０（２０１〜２０２ｎ）は、互いに異なる波長λ１〜λ２ｎのレーザ光を出力する。ＤＰＳＫ変調器２２（２２１〜２２２ｎ）はそれぞれ、対応するレーザダイオード２０（２０１〜２０２ｎ）の出力レーザ光をデータＤ１〜Ｄ２ｎでＤＰＳＫ変調する。これにより、波長λｉ（但し、ｉ＝１〜２ｎ）でデータＤｉを搬送する２ｎ個のＤＰＳＫ信号光が生成される。
【００１９】
合波器２４は奇数番目の波長λ１，λ３〜λ２ｎ−１のＤＰＳＫ信号光、即ち、奇数番目のＤＰＳＫ変調器２２１〜２２２ｎ−１の出力光を合波し、合波器２６は偶数番目の波長λ２，λ４〜λ２ｎのＤＰＳＫ信号光、即ち、偶数番目のＤＰＳＫ変調器２２２〜２２２ｎの出力光を合波する。
【００２０】
波長インタリーバ２８は、２つのポートを具備し、各ポートの入力光を合波して１つのポートから出力する光素子であり、且つ、波長に対して周期的な透過率特性を具備する光フィルタである。波長インタリーバ２８は、合波器２４，２６の出力光を後述する帯域制限を施しながら合波し、その合波光、即ち波長λ１〜λ２ｎの信号光からなるＷＤＭ信号光を光ファイバ伝送路１２に出力する。
【００２１】
本実施例では、光フィルタ素子として波長インタリーバを使用したが、合波器２４，２６及び波長インタリーバ２８の部分の代わりに、アレイ導波路格子等の、波長に対して周期的な透過率特性を具備する波長多重光学素子を使用しても良い。
【００２２】
本実施例では、波長インタリーバ２８は、各波長の信号光の帯域を非対称に制限する。その帯域制限の態様は、後で詳細に説明する。
【００２３】
光受信装置１４の構成と動作を説明する。分波器３０は、光ファイバ伝送路１２からのＷＤＭ信号光を個々の波長λ１〜λ２ｎの信号光に分離する。１ビット遅延マッハツェンダ干渉計（ＭＺＩ）３２（３２１〜３２２ｎ）は、マッハツェンダ干渉計の一方のアームに１ビット遅延器を具備し、この１ビット遅延によりＤＰＳＫ信号光をＯＯＫ信号光に変換する。１ビット遅延ＭＺＩ３２（３２１〜３２２ｎ）は、出力ポートとして、コンストラクティブポートとデストラクティブポートを具備する。バランス受信器３４（３４１〜３４２ｎ）は、対応する１ビット遅延ＭＺＩ３２（３２１〜３２２ｎ）のコンストラクティブポートの出力光とデストラクティブポートの出力光をバランス受信し、データＤ１〜Ｄ２ｎを復元する。
【００２４】
波長インタリーバ２８は、波長λ１〜λ２ｎの信号光の帯域を非対称に制限する。図２は、４２．７ＧｂｐｓのＣＳ−ＲＺ  ＤＰＳＫ信号に対する帯域制限例を示す。図２（ａ）は、帯域制限無しの場合の１ビット遅延ＭＺＩのコンストラクティブポート出力光のスペクトルを示し、図２（ｂ）は、デストラクティブポート出力光のスペクトル例を示す。図２（ｃ）は、波長インタリーバ２８の透過率特性を示す。
【００２５】
帯域制限が無い場合、１ビット遅延ＭＺＩのコンストラクティブポートの出力光は、図２（ａ）に示すように、中心のメインローブ４０と、その両側のサイドローブ４２，４４からなり、１ビット遅延ＭＺＩのデストラクティブポートの出力光は、図２（ｂ）に示すように、中心周波数ｆｓからＢ／２だけ離れた位置にピークがある２つのローブ４６，４８からなる。
【００２６】
本実施例では、波長インタリーバ２８の透過帯域を次のように設定する。波長インタリーバ２８の透過帯域の中心周波数をＣＳ−ＲＺ  ＤＰＳＫ信号の中心周波数ｆｓに対してΔｆだけずらす。透過帯域の透過帯域幅Ｆは、ＣＳ−ＲＺ  ＤＰＳＫ信号のビットレートＢと同程度にする。そして、コンストラクティブポート出力光に対し、メインローブ４０の半分以上とサイドローブ４２の１／４を透過し、デストラクティブポート出力光に対し、一方のローブ４６の半分以上と他方のローブ４８の１／４を透過するように、ΔｆとＦを設定する。理想的には、サイドローブ４２とローブ４８を同じ周波数幅だけ透過する。この理想条件は、
Ｆ／２＋Δｆ−Ｂ／２＝Ｆ／２−Δｆ            （１）
であり、従って、
Δｆ＝Ｂ／４                （２）
である。
【００２７】
このように、コンプストラクティブポート出力光の一方のサイドローブ４２と、デストラクティブポート出力光の一方のローブ４８を理想的には等分に制限することで、バランス受信において帯域制限の影響が均等に作用する。この結果、バランス受信が有効に機能し、波形劣化による受信特性の劣化を軽減できる。
【００２８】
図３（ａ）は、波長インタリーバ２８により非対称で帯域を制限された信号光のスペクトル例を示す。図３（ｂ）及び同（ｃ）はそれぞれ、図３（ａ）に示すスペクトルの信号光に対する１ビット遅延ＭＺＩ３２のコンストラクティブポート出力光及びデストラクティブポート出力光のスペクトル例を示す。先に説明したように、理想的には、図３（ｂ）及び（ｃ）に示すように、１ビット遅延ＭＺＩ３２のコンストラクティブポート出力光のサイドローブと、デストラクティブポート出力光の大きく帯域を制限されるローブのスペクトルが左右対称になるように、離調量Δｆ及び帯域幅Ｆを設定する。理想的な非対称帯域制限では、図３（ｂ）及び（ｃ）に示すように、コンストラクティブポート出力光のスペクトルとデストラクティブポート出力のスペクトルがほぼ、互いに左右対称になる。
【００２９】
換言すると、上述のように、ＤＰＳＫ信号は、２つのデュオバイナリ信号の合成と考えられる。本実施例では、送信側の帯域制限において、２つのデュオバイナリ信号の帯域をそれぞれ均等に制限していることになり、それぞれの成分信号光の波形が同様に劣化する。同様の波形劣化は、バランス受信により相殺されるので、本実施例の非対称帯域制限によっても受信特性が劣化しない。
【００３０】
実際に、４２．７ＧｂｐｓのＣＳ−ＲＺ  ＤＰＳＫ信号の帯域を半値幅４５ＧＨｚの光フィルタで制限する場合、離調量Δｆに対するＱ値の変化を調べた。図４は、その測定結果を示す。横軸は、ビットレートＢで規格化された離調量Δｆ、即ち、Δｆ／Ｂを示し、縦軸は、Ｑ２（ｄＢ）を示す。Δｆ＝０は、従来の対称帯域制限の場合に相当する。
【００３１】
Δｆ／Ｂ＝０．２５で最もＱ値が大きくなり、受信特性が対称帯域制限の場合に比べて１．５ｄＢ改善している。
【００３２】
図３から、理想的なΔｆ／Ｂ＝０．２５の場合でなくても、対称帯域制限の場合（Δｆ＝０）に比べ、僅かな離調でも改善効果があることが分かる。例えば、０＜Δｆ／Ｂ＜０．４とすれば、対称帯域制限（Δｆ＝０）の場合より受信特性を改善できる。０．０９＜Δｆ／Ｂ＜０．３６とすれば、対称帯域制限（Δｆ＝０）の場合により、０．５ｄＢ以上、受信特性を改善できる。０．１２＜Δｆ／Ｂ＜０．３４とすれば、最適条件（Δｆ／Ｂ＝０．２５）での特性改善（１．５ｄＢ）の半分（０．７５ｄＢ）以上の改善が得られる。更には、０．１５＜Δｆ／Ｂ＜０．３２とすれば、最適条件での特性改善に比べて０．５ｄＢ以内の劣化で済み、勿論、対称帯域制限の場合よりも改善する。
【００３３】
容易に理解できるように、図２（ｃ）に示す帯域制限例では、
Ｆ／２＋Δｆ−Ｂ／２＞０            （３）
Ｆ／２−Δｆ＞０                    （４）
である。式（４）から、
Ｆ＞２Δｆ                          （５）
が得られる。これを式（３）に適用すると、
Ｆ＞Ｂ／２                          （６）
が得られる。即ち、透過帯域幅Ｆは、離調量Δｆの２倍以上であり、且つ、ビットレートＢの半分より大きくなければならない。
【００３４】
但し、Ｆ＞２Ｂの場合、１ビット遅延ＭＺＩ３２のデストラクティブポート出力光が、帯域制限の影響を受けなくなる。従って、実質的に、Ｆ≦２Ｂでなければならない。
【００３５】
本実施例の非対称帯域制限により、１ビット遅延ＭＺＩのコンストラクティブポート出力及びデストラクティブポート出力で波形劣化が少ないことをアイパターンで確認した。
【図面の簡単な説明】
【００３６】
【図１】本発明の一実施例の概略構成ブロック図である。
【図２】波長インタリーバ２８による帯域制限の説明図である。
【図３】本実施例による帯域制限の説明図であり、（ａ）は帯域制限された信号光のスペクトル、（ｂ）は１ビット遅延ＭＺＩのコンストラクティブポート出力光のスペクトル、（ｃ）は１ビット遅延ＭＺＩのデストラクティブポート出力光のスペクトルをそれぞれ示す。
【図４】Δｆ／Ｂ対Ｑ２の測定例である。
【符号の説明】
【００３７】
１０：光送信装置
１２：光ファイバ伝送路
１４：光受信装置
２０（２０１〜２０２ｎ）：レーザダイオード
２２（２２１〜２２２ｎ）：ＤＰＳＫ変調器
２４，２６：合波器
２８：波長インタリーバ
３０：分波器
３２（３２１〜３２２ｎ）：１ビット遅延マッハツェンダ干渉計（ＭＺＩ）
３４（３４１〜３４２ｎ）：バランス受信器
【図１】
2005094287.tif 000003
【図２】
2005094287.tif 000004
【図３】
2005094287.tif 000005
【図４】
2005094287.tif 000006